(57)【要約】      （修正有）【課題】飲料容器を良好に保持しつつ、実質的に安価となり、省スペース化でき、さらに見映えもよい飲料供給装置を提供する。【解決手段】容器受け部９に置かれた飲料容器Ａに飲料を供給する飲料供給装置１であって、内部に、前記飲料容器Ａを収納可能な収納空間部１２を備えることを特徴とする。この構成により、カップホルダを用いることなく飲料容器Ａを保持することができるため、オプション部品としてのカップホルダ購入時と比較して安価となり、省スペース化でき、さらに見映えも良い飲料供給装置１を提供することができる。【選択図】図３
2014193734.tif 000002
【特許請求の範囲】
【請求項１】
容器受け部に置かれた飲料容器に飲料を供給する飲料供給装置であって、
内部に、前記飲料容器を収納可能な収納空間部を備える
ことを特徴とする飲料供給装置。
【請求項２】
飲料の原料等を収容する本体部と、
前記本体部の前面に開閉自在に取り付けられた前面扉とを備え、
前記収納空間部は、前記前面扉に設けられている
ことを特徴とする請求項１に記載の飲料供給装置。
【請求項３】
前記前面扉の中央部に位置し、利用者が飲料の選択操作を行う操作部を備え、
前記収納空間部は、前記前面扉の左端部および右端部の少なくとも一方に設けられている
ことを特徴とする請求項２に記載の飲料供給装置。
【請求項４】
前記収納空間部を開閉自在とする収納扉をさらに備える
ことを特徴とする請求項１〜３の何れか１項に記載の飲料供給装置。
【請求項５】
前記収納扉は、それぞれ前記前面扉の中央から外側に開くように取り付けられている
ことを特徴とする請求項４に記載の飲料供給装置。
【請求項６】
前記収納扉は、一部または全部が透光性を有する
ことを特徴とする請求項４または５に記載の飲料供給装置。
【請求項７】
前記収納空間部に、前記飲料容器を保持する容器保持部材が配設されている
ことを特徴とする請求項１〜６の何れか１項に記載の飲料供給装置。
【請求項８】
前記容器保持部材は上面部を有し、前記飲料容器を、その開口部を下にした姿勢で前記上面部に積み重ねることにより前記飲料容器を保持する
ことを特徴とする請求項７に記載の飲料供給装置。
【請求項９】
前記容器保持部材は、前記収納空間部に臨む側壁に着脱自在であり、前記収納空間部の任意の高さに配設可能である
ことを特徴とする請求項７または８に記載の飲料供給装置。
【請求項１０】
前記収納空間部に、包装された砂糖やミルク、マドラー等の副資材を入れる副資材収容部材が配設されている
ことを特徴とする請求項１〜９の何れか１項に記載の飲料供給装置。
【請求項１１】
前記副資材収容部材は、前記収納空間部に臨む側壁に着脱自在であり、前記収納空間部の任意の高さに配設可能である
ことを特徴とする請求項１０に記載の飲料供給装置。
【発明の詳細な説明】
【技術分野】
【０００１】
本発明は飲料供給装置に関する。
【背景技術】
【０００２】
原料を希釈水で希釈したり、抽出したりして、飲料を紙コップ等の飲料容器に供給する飲料供給装置は既に知られている。このような飲料供給装置において、利用者が飲料の提供を受けるためには飲料容器が必要である。これに対応して、飲料供給装置に、飲料容器を収納するカップホルダが配設されているものがある。
【０００３】
例えば、特許文献１の飲料供給装置では、図８に示すように、飲料容器であるカップ２２を高さ方向に積層して保持するカップホルダ２３が、飲料供給装置２１の側面から突出するように配設されている。このカップホルダ２３は、上方が開口された箱状の収納部２４と、この収納部２４の開口を開閉自在とする蓋体２５などから形成されており、蓋体２５を開けてカップ２２を収納した後に、収納部２４の開口を蓋体２５で閉じた状態で配設される。
【０００４】
また、このカップホルダ２３の下面には、カップ２２を底部側から挿通可能な貫通孔（図示せず）が形成されている。さらに、この貫通孔の縁近傍には、カップ２２の開口部を係止する係止部（図示せず）が形成され、カップ２２の底部が貫通孔から下方に露出した状態で保持され、利用者がカップ２２の底部を下方に引っ張ることにより、カップホルダ２３からカップ２２を１つずつ取り出せるようになっている。
【先行技術文献】
【特許文献】
【０００５】
【特許文献１】実開平７−９１９号公報
【発明の概要】
【発明が解決しようとする課題】
【０００６】
しかしながら、カップホルダ２３は通常オプション部品として販売されているため、飲料供給装置２１の需要者は、飲料容器２２を飲料供給装置２１に保持するためには、カップホルダ２３を別途購入しなければならない。また、カップホルダ２３は飲料供給装置２１の側面から突出するように配設されるため、飲料供給装置２１の側方にカップホルダ２３のためのスペースを確保する必要がある。したがって、例えば、飲料供給装置２１を購入して設置した後に、カップホルダ２３を取り付けようとした場合でも、飲料供給装置２１の側方にカップホルダ２３のためのスペースを確保することが困難である場合もある。さらに、カップホルダ２３が飲料供給装置２１の側面から突出して配設されているため見映えが悪くなり、飲料供給装置２１のデザイン性に影響を与えることがある。
【０００７】
本発明は上記課題を解決するもので、飲料容器を良好に保持しつつ、実質的に安価となり、省スペース化でき、さらに見映えもよい飲料供給装置を提供することを目的とする。
【課題を解決するための手段】
【０００８】
本発明の飲料供給装置は、容器受け部に置かれた飲料容器に飲料を供給する飲料供給装置であって、内部に、前記飲料容器を収納可能な収納空間部を備えることを特徴とする。
【０００９】
また、本発明の飲料供給装置は、飲料の原料等を収容する本体部と、前記本体部の前面に開閉自在に取り付けられた前面扉とを備え、前記収納空間部が前記前面扉に設けられていることを特徴とする。
【００１０】
また、本発明の飲料供給装置は、前記前面扉の中央部に位置し、利用者が飲料の選択操作を行う操作部を備え、前記収納空間部が、前記前面扉の左端部および右端部の少なくとも一方に設けられていることを特徴とする。
【００１１】
また、本発明の飲料供給装置は、前記収納空間部を開閉自在とする収納扉を備えることを特徴とする。
【００１２】
また、本発明の飲料供給装置は、前記収納扉がそれぞれ前記前面扉の中央から外側に開くように取り付けられていることを特徴とする。
【００１３】
また、本発明の飲料供給装置は、前記収納扉が、一部または全部が透光性を有することを特徴とする。
【００１４】
また、本発明の飲料供給装置は、前記収納空間部に、前記飲料容器を保持する容器保持部材が配設されていることを特徴とする。
【００１５】
また、本発明の飲料供給装置は、前記容器保持部材が上面部を有し、前記飲料容器を、その開口部を下にした姿勢で前記上面部に積み重ねることにより前記飲料容器を保持することを特徴とする。
【００１６】
また、本発明の飲料供給装置は、前記容器保持部材が、前記収納空間部に臨む側壁に着脱自在であり、前記収納空間部の任意の高さに配設可能であることを特徴とする。
【００１７】
また、本発明の飲料供給装置は、前記収納空間部に、包装された砂糖やミルク、マドラー等の副資材を入れる副資材収容部材が配設されていることを特徴とする。
【００１８】
また、本発明の飲料供給装置は、前記副資材収容部材が、前記収納空間部に臨む側壁に着脱自在であり、前記収納空間部の任意の高さに配設可能であることを特徴とする。
【発明の効果】
【００１９】
本発明の飲料供給装置によると、飲料供給装置の内部に飲料容器を収納可能な収納空間部を有するため、飲料容器を飲料供給装置に保持させることにより、オプション部品としてカップホルダを購入する必要がない。そのため飲料供給装置がオプション部品購入時と比較して安価となる。また、飲料供給装置の側面にカップホルダを配設しないため、省スペース化できる。特に、装置の前面以外を壁などで囲まれた場合など、飲料供給装置の側方にカップホルダのためのスペースを確保することが困難である場合でも支障なく配設できる。さらに、飲料供給装置の側面から突出したカップホルダを用いないため、見映えがよく、デザイン性が損なわれることもない。
【００２０】
また、収納空間部が前面扉に設けられていることにより、飲料供給装置の利用者は前面扉を開放することなく容易に飲料容器を取り出すことができる。さらに、飲料供給装置の本体部には飲料の原料を収容する原料収容部等を備えるが、原料を補充する際等に前面扉を開放した状態にしても、前面扉の開放に伴って収納空間部も移動するため、収納空間部に収納された飲料容器等が原料の補充作業等を邪魔することがなく、良好な利便性が保たれる。
【００２１】
また、収納空間部が前面扉の左端部および右端部の少なくとも一方に設けられていることにより、利用者が供給飲料の選択操作を行う操作部等のためのスペースを前面扉の中央部に確保しつつ、数多くの飲料容器を積み上げることができ、飲料容器等を良好に収納することができる。
【００２２】
また、収納空間部を開閉自在とする収納扉を備えることにより、収納空間部が露出している場合と比較して、飲料供給装置全体のデザイン性が保たれる。さらに、収納空間部に収納された飲料容器等を直射日光による紫外線劣化やほこりの付着などから保護することができ、飲料容器等の品質劣化や汚染などを防止することができる。
【００２３】
また、収納扉がそれぞれ前面扉の中央から外側に開くことによって、収納扉を開放した状態であっても、収納扉が前面扉の中央部に位置する操作部等の邪魔をせず、また、収納空間部に収納された飲料容器を手に取って容器受け部まで移動させる動作の邪魔をせず、利用者の良好な利便性が保たれる。
【００２４】
また、収納扉の一部または全部が透光性を有することにより、利用者が飲料容器の存在を視認することができる。すなわち、収納空間部が収納扉によって開閉自在とすると、収納扉が閉鎖した状態の場合、利用者が飲料容器の存在に気付かないおそれがあるが、収納扉の一部または全部が透光性を有することで、収納扉を閉鎖した状態であっても、利用者は飲料容器を視認できるため、飲料容器の存在を把握することができる。
【００２５】
また、収納空間部に飲料容器を保持する容器保持部材が配設されていることにより、収納空間部から飲料容器が脱落することを防止できるとともに、収納扉が開放された際のデザイン性を損なうことなく、飲料容器を収納空間部に効率的に収納することができる。
【００２６】
また、飲料容器は開口部を下にした姿勢で保持されるため、飲料容器の中へのほこりの侵入を防止できる。さらに、従来のカップホルダは飲料容器の開口部を係止するため、飲料容器のサイズごとにカップホルダの係止部を調整しなければならないが、本発明の容器保持部材は、飲料容器の開口部を係止しないため、飲料容器のサイズごとに調整することなく飲料容器を保持することができる。
【００２７】
また、容器保持部材が収納空間部に臨む側壁に着脱自在であり、収納空間部の任意の高さに配設可能であることにより、管理者は収納空間部に収納する飲料容器の収納容量を任意に設定することができる。
【００２８】
また、収納空間部に、包装された砂糖やミルク、マドラー等の副資材を入れる副資材収容部材が配設されていることにより、さらに省スペース化させることができる。例えば、供給飲料がコーヒーや紅茶である場合、包装された砂糖やミルク、マドラー等の副資材を提供することが望まれるが、通常このような副資材は飲料供給装置には保持されず、その近傍のテーブル等に設置される。本発明の構成により、管理者は別途テーブルを用意することなく副資材を提供することができるため、省スペース化できる。
【００２９】
また、副資材収容部材が収納空間部に臨む側壁に着脱自在であり、収納空間部の任意の高さに配設可能であることにより、管理者は収納空間部に収納する副資材の収納容量を任意に設定することができる。
【図面の簡単な説明】
【００３０】
【図１】本発明の実施の形態に係る飲料供給装置の斜視図である。
【図２】同飲料供給装置において、前面扉を開放した状態を示す斜視図である。
【図３】同飲料供給装置において、収納扉を開放した状態を示す斜視図である。
【図４】同飲料供給装置において、収納扉が閉鎖された状態の、前面扉の左端部に配設された収納空間部の周辺を示す平面断面図である。
【図５】同飲料供給装置において、収納扉が開放された状態の、前面扉の左端部に配設された収納空間部の周辺を示す平面断面図である。
【図６】それぞれ本発明の実施の形態に係る飲料供給装置の容器保持部材を示す図で、（ａ）は斜め上方から見た斜視図、（ｂ）は斜め下方から見た斜視図である。
【図７】それぞれ本発明の実施の形態に係る飲料供給装置の副資材収容部材を示す図で、（ａ）は斜め下方から見た斜視図、（ｂ）は斜め上方から見た斜視図である。
【図８】従来の飲料供給装置の斜視図である。
【発明を実施するための形態】
【００３１】
以下、本発明の実施の形態に係る飲料供給装置を、図面に基づき説明する。なお、ここで示す実施の形態はあくまでも一例であって、必ずしもこの実施の形態に限定されるものではない。
【００３２】
図１〜図３は本実施の形態に係る飲料供給装置を示す斜視図である。飲料供給装置１は、図１及び図２に示すように、本体部２と、この本体部２の前面に丁番部Ｔを介して回動自在に支持された前面扉３とを有しており、本体部２は前面扉３によって開閉自在とされている。前面扉３の中央部には、飲料供給装置１の利用者に供給飲料の種類を表示する表示部４と、利用者が供給飲料の選択操作を行う操作部５と、容器受け窓６とを有している。
【００３３】
また、本体部２の内部には、飲料の原料を収容する原料収容部７と、原料の希釈水等を収容する給水タンク８と、利用者が飲料の提供を受ける際に飲料容器Ａを置く容器受け部９と、排水を収容する排水タンク１０などが備えられている。容器受け部９は、前面扉３を閉鎖した状態であっても、前面扉３の容器受け窓６を通して外部に露出している。
【００３４】
利用者が表示部４に表示された飲料から１種類を選択して、選択した飲料に対応する操作部５を操作すると、飲料供給装置１に飲料供給の指示がなされる。飲料供給の指示があると、給水タンク８の希釈水と原料収容部７の原料とが混ぜ合わされて飲料となり、その飲料が容器受け部９に置かれた飲料容器Ａに供給されるよう構成されている。なお、排水タンク１０は容器受け部９の下方のホースと接続されており、このホースを通して容器受け部９にこぼれたり、飛散したりする排水を一時的に収容するものである。
【００３５】
飲料供給装置１の管理者は、原料収容部７へ原料を補充する作業や、給水タンク８へ希釈水を補充する作業、排水タンク１０の排水を外部へ排出するなどの作業を前面扉３を開放して行う。なお、給水タンク８や排水タンク１０を設けずに、飲料供給装置１と上水道とを接続したり、排水を直接外部に排出するよう構成してもよい。この場合は、希釈水の補充や排水の排出の作業は不要となる。
【００３６】
また、図３に示すように、前面扉３の上部の左端部及び右端部には、飲料容器Ａを収納可能な収納空間部１２および収納空間部１２を開閉自在とする収納扉１３が配設されている。さらに、図４及び図５に示すように、収納扉１３の内側には、当該収納扉１３を開閉自在に支持させるためのヒンジ取付け部１３ｂと、ラッチ部１３ａとが設けられている。
【００３７】
収納扉１３のヒンジ取付け部１３ｂは、高さ方向に延びる棒状のヒンジ部材１４と接合されており、ヒンジ部材１４は、収納空間部１２の上端及び下端に配設された一対のヒンジ受け部材１５によって支えられている。具体的には、ヒンジ部材１４はその上端及び下端に、上方及び下方に突出する板状の凸部（図示せず）を有し、ヒンジ部材１４の凸部がヒンジ受け部材１５の丸孔１５ａに挿入されることによって回転自在な状態で支えられている。そして、ヒンジ部材１４が取り付けられた収納扉１３は、ヒンジ受け部材１５の丸孔１５ａの中心を軸として回転することによって開閉自在となるよう構成されている。
【００３８】
また、前面扉３の容器受け窓６の縁には窪み部６ａが設けられており、容器受け窓６における窪み部６ａの近傍には、弾性変形自在の板バネ部材１６が当接されている。本実施の形態に係る飲料供給装置１では、収納扉１３のラッチ部１３ａと板バネ部材１６とが係合するように構成されており、これらが係合することによって収納扉１３が勝手に開放しないよう構成されている。
【００３９】
一方、利用者は、容器受け窓６の窪み部６ａに指を入れて、ヒンジ受け部材１５の丸孔１５ａの中心を軸として、前面扉３の中央から外側へ収納扉１３を回転させることで、収納扉１３のラッチ部１３ａと板バネ部材１６との係合がはずれて収納扉１３を開放することができるよう構成されている。
【００４０】
また、本実施の形態に係る飲料供給装置１には、図３に示すように、収納空間部１２に飲料容器Ａを保持する容器保持部材１７と、包装された砂糖やミルク、マドラー等の副資材を入れる副資材収容部材１８とが配設されている。前面扉３の収納空間部１２に臨む側壁１２ａには、角穴１２ｂ（図４、図５参照）が高さ方向に複数形成され、飲料供給装置１の管理者は適切な高さの角穴１２ｂを選んで、容器保持部材１７や副資材収容部材１８を配設することができる。
【００４１】
なお、図３において、前面扉３の左端部の収納空間部１２に、容器保持部材１７は２つ、副資材収容部材１８は１つ配設されており、一方の容器保持部材１７は飲料容器Ａを保持した状態を示し、他方の容器保持部材１７は飲料容器を保持しない状態を示している。このように、例えば、収納空間部１２の上部及び中央部に容器保持部材１７、下部に副資材収容部材１８を配設することができる。
【００４２】
図６は容器保持部材１７を示す斜視図である。容器保持部材１７は円盤状の上面部１７ａと、高さ方向に並んだ２つのフック部１７ｂと、上面部１７ａの下方で、水平断面で十字状に形成された側面部１７ｃと、側面部１７ｃの下方で、フック部１７ｂが取り付けられている支持部１７ｄとを有している。
【００４３】
そして容器保持部材１７は、飲料容器Ａの開口部を下にした姿勢で、上面部１７ａと飲料容器Ａの底面とを当接させて、飲料容器Ａを積み重ねることによって保持するよう構成されている。この構成により、飲料容器Ａがどの方向にも倒れ難いように確実に保持するとともに、荷重の集中を避け、飲料容器Ａの変形を防止することができる。
【００４４】
また、容器保持部材１７は、２つのフック部１７ｂが収納空間部１２に臨む側壁１２ａの角穴１２ｂに係合するよう構成されており、これによって、容器保持部材１７は着脱自在な状態で前面扉３に配設されている。
【００４５】
利用者は収納扉１３を開放して、積み上げられた飲料容器Ａを上方へ持ち上げることで、容易に飲料容器Ａを取り出すことができる。容器保持部材１７はフック部１７ｂを２つ有するため、角穴１２ｂに確実に取り付けられ、利用者が飲料容器Ａを取り出す際などに、容器保持部材１７が誤って角穴１２ｂから外れて飲料容器Ａが散乱するようなことを防止できる。
【００４６】
また、容器保持部材１７は左右対称形状であり、前面扉３の左端部の収納空間部１２と右端部の収納空間部１２とで共通の容器保持部材１７を配設することができるよう構成されている。そのため、飲料供給装置１の管理者にとっては利便性を保つことができ、飲料供給装置１の提供者にとっては金型費などの費用を抑制することができる。
【００４７】
図７は副資材収容部材１８を示す斜視図である。副資材収容部材１８は、上面を開口するカップ状に形成されており、その中に包装された砂糖やミルク、マドラー等の副資材を入れることができるよう構成されている。具体的には、副資材収容部材１８は、互いに直角をなす２つの側面部１８ａと、それぞれの側面部１８ａの上端に取り付けられた２つのフック部１８ｂと、側面部１８ａとで副資材収容部材１８の側面を形成する湾曲部１８ｃと、複数の孔部１８ｅが形成された底面部１８ｄとを有しており、底面部１８ｄの孔部１８ｅによって、副資材収容部材１８の中にほこりが堆積しないように構成されている。
【００４８】
また、副資材収容部材１８は、２つのフック部１８ｂが収納空間部１２に臨む側壁１２ａの角穴１２ｂに係合するよう構成されており、これによって、副資材収容部材１８は着脱自在な状態で前面扉３に配設されている。副資材収容部材１８はフック部１８ｂを２つ有するため、角穴１２ｂに確実に取り付けられ、副資材収容部材１８が運用上誤って角穴１２ｂから外れて副資材が散乱するようなことを防止できる。
【００４９】
また、副資材収容部材１８は左右対称形状であり、前面扉３の左端部の収納空間部１２と右端部の収納空間部１２とで共通の副資材収容部材１８を配設することができるよう構成されている。そのため、飲料供給装置１の管理者にとっては利便性を保つことができ、飲料供給装置１の提供者にとっては金型費などの費用を抑制することができる。
【００５０】
本実施の形態に係る飲料供給装置１によれば、飲料供給装置１の内部に飲料容器Ａを収納可能な収納空間部１２を有するため、需要者は飲料容器Ａを飲料供給装置１に保持するために、オプション部品としてカップホルダを購入する必要がない。そのため飲料供給装置１は、オプション部品購入時と比較して安価となる。また、飲料供給装置１の側面にカップホルダを配設しないため、省スペース化できる。特に、飲料供給装置１の前面以外が壁やその他の配設物で囲まれた場合など、飲料供給装置１の側方にカップホルダ用のスペースを確保することが困難である場合でも支障なく配設できる。さらに、飲料供給装置１の側面から突出したカップホルダを用いないため、見映えがよく、デザイン性が損なわれることもない。
【００５１】
また、収納空間部１２が前面扉３に設けられていることにより、利用者は前面扉３を開放することなく容易に飲料容器Ａを取り出すことができる。さらに、飲料供給装置１の本体部２には原料収容部７などを備えるが、原料を補充する際等に前面扉３を開放した状態にしても、前面扉３の開放に伴って収納空間部１２も移動するため、収納空間部１２に収納された飲料容器Ａや副資材が、原料の補充等の作業を邪魔することがなく、良好な利便性が保たれる。
【００５２】
収納空間部１２は操作部５の上部や容器受け窓６の下部に設けてあってもよいが、収納空間部１２を前面扉３の左端部及び右端部に設けることで、前面扉３の中央部に、表示部４や操作部５のためのスペースを確保しつつ、飲料容器Ａを積み上げることで数多くの飲料容器Ａを収納することができる。
【００５３】
また、収納空間部１２は収納扉１３で開閉自在となっているため、収納空間部１２が露出している場合と比較して、飲料供給装置１のデザイン性が保たれる。さらに、収納空間部１２に収納された飲料容器Ａ及び副資材を直射日光による紫外線劣化やほこりの付着などから保護することができ、飲料容器Ａ及び副資材の品質劣化や汚染などを防止することができる。
【００５４】
さらに、収納扉１３はそれぞれ前面扉３の中央から外側に開くため、収納扉１３を開放した状態であっても、収納扉１３が前面扉３の中央部に位置する表示部４を隠したり、操作部５の操作の邪魔をしたりすることがない。さらに、収納空間部１２と容器受け部６との間に収納扉１３が位置しないので、収納扉１３は、利用者が収納空間部１２に収納された飲料容器Ａを手に取って容器受け部６まで移動させる動作の邪魔にはならないため、良好な利便性が保たれる。
【００５５】
また、収納空間部１２に、飲料容器Ａを保持する容器保持部材１７が配設されていることにより、収納扉１３を開放した状態であっても収納空間部１２から飲料容器Ａが脱落することを防止できるとともに、そのデザイン性を損なうことなく、飲料容器Ａを収納空間部１２に効率的に収納することができる。さらに、容器保持部材１７は飲料容器Ａを、その開口部を下にした姿勢で保持するため、飲料容器Ａの中へのほこりの侵入を防止できる。
【００５６】
また、従来のカップホルダは飲料容器Ａの開口部を係止するため、飲料容器Ａのサイズごとにカップホルダの係止部を調整しなければならないが、本実施の形態における容器保持部材１７は、飲料容器Ａの開口部を係止しないため、飲料容器Ａのサイズごとに調整することなく飲料容器Ａを保持することができる。
【００５７】
また、収納空間部１２に、包装された砂糖やミルク、マドラー等の副資材を入れる副資材収容部材１８が配設されていることにより、さらに省スペース化させることができる。例えば、飲料がコーヒーや紅茶である場合、包装された砂糖やミルク、マドラー等の副資材を提供することが望まれるが、通常このような副資材は飲料供給装置には保持されず、その近傍のテーブル等に設置される。本発明の構成を有することにより、管理者は別途テーブルを用意することなく副資材を利用者に提供することができるため、省スペース化できる。
【００５８】
さらに、容器保持部材１７と副資材収容部材１８とは前面扉３の角穴１２ｂに対して着脱可能であるため、必要に応じて容器保持部材１７と副資材収容部材１８を配設する個数を変えることができる。例えば、供給する飲料がお茶である場合等、副資材を必要としない場合は副資材収容部材１８を配設せず、代わりに容器保持部材１７を多く配設することができる。
【００５９】
この場合には、副資材収容部材１８を配設した場合よりも多くの飲料容器Ａを保持することができるので、管理者がそれを補充する作業において、一回の補充作業でより多くの飲料容器Ａを補充することができるため、作業の効率化が可能となる。
【００６０】
また、容器保持部材１７と係合させる角穴１２ｂの高さを変更することによっても、飲料容器Ａを保持できる数を設定することができる。例えば、容器保持部材１７を一つだけ用いて、それを収納空間部１２の下端の角穴１２ｂに係合させた場合、飲料容器Ａを積み重ねることができるスペースが最も広くなるため、最も多くの飲料容器Ａを保持することができる。
【００６１】
なお、収納扉１３はその一部又は全部が透光性を有するように構成していてもよい。例えば、収納扉１３として半透明のものを用いたり、この代わりに収納扉１３の中央にスリット状の孔を設け、そこに透明樹脂を充填させるように構成したりする。この場合には、利用者は収納空間部１２に収納された飲料容器Ａを視認することができ、その存在を把握することができる。
【符号の説明】
【００６２】
１    飲料供給装置
２    本体部
３    前面扉
４    表示部
５    操作部
６    容器受け窓
６ａ  窪み部
７    原料収容部
９    容器受け部
１２  収納空間部
１２ａ  側壁
１２ｂ  角穴
１３  収納扉
１７  容器保持部材
１８  副資材収容部材
Ａ    飲料容器
【図１】
2014193734.tif 000003
【図２】
2014193734.tif 000004
【図３】
2014193734.tif 000005
【図４】
2014193734.tif 000006
【図５】
2014193734.tif 000007
【図６】
2014193734.tif 000008
【図７】
2014193734.tif 000009
【図８】
2014193734.tif 000010